(57)【要約】【課題】薬剤が詰まりにくい構造の逆止弁を採用すると共に、薬剤供給管の撤去時に作業し易く、その後の閉塞も容易、確実に行うことができる薬剤注入装置を提供する。【解決手段】シールド掘進機の後方に埋設管１ａ、１ｂを結合した推進体１を、上記推進体の埋設管の外周部に薬剤を注入しながら掘削、推進させ上記埋設管によって形成される管路を敷設する推進シールド工法において、上記埋設管内に設けられ、上記薬剤を供給する薬剤供給管２にカプラ１４を介して接続されたボール弁式逆止弁１６を上記カプラと離隔した位置でボールの自重が逆止弁の閉塞方向に作用するように上記埋設管の側壁に埋設状態で装着すると共に、上記ボール弁式逆止弁から送出される薬剤を上記埋設管の外周部に吐出する第２の逆止弁９を上記埋設管の管壁部に設けた構成とする。【選択図】図１
2008095491.tif 000002
【特許請求の範囲】
【請求項１】
シールド掘進機の後方に埋設管を結合した推進体を、上記推進体の埋設管の外周部に薬剤を注入しながら掘削、推進させ上記埋設管によって形成される管路を敷設する推進シールド工法において、上記埋設管内に設けられ、上記薬剤を供給する薬剤供給管にカプラを介して接続されたボール弁式逆止弁を上記カプラと離隔した位置でボールの自重が逆止弁の閉塞方向に作用するように上記埋設管の側壁に埋設状態で装着すると共に、上記ボール弁式逆止弁から送出される薬剤を上記埋設管の外周部に吐出する第２の逆止弁を上記埋設管の管壁部に設けたことを特徴とする推進シールド工法における薬剤注入装置。
【請求項２】
上記ボール弁式逆止弁と第２の逆止弁は１つのケースに収容されていることを特徴とする請求項１記載の推進シールド工法における薬剤注入装置。
【請求項３】
上記第２の逆止弁はバタフライ型の弁体を有することを特徴とする請求項１または請求項２記載の推進シールド工法における薬剤注入装置。
【請求項４】
上記カプラはプラグと、このプラグに着脱可能に結合されるソケットとから構成されると共に、推進作業の終了後に上記薬剤供給管及び送泥管、排泥管を撤去して上記ソケットを上記プラグから引き外した時、上記プラグの入力側を閉塞する撤去閉塞手段を設けたことを特徴とする請求項１〜請求項３のいずれか１項記載の推進シールド工法における薬剤注入装置。
【請求項５】
上記撤去閉塞手段は、上記カプラを装着するケーシング本体と、上記カプラのソケットに結合された薬剤供給管を外部に導出する孔を有し、上記ケーシング本体をカバーする蓋体と、上記蓋体上を摺動し得るように設けられた閉塞部及びこの閉塞部より幅狭に形成され、かつ上記閉塞部の端面に容易に切断し得るように結合され上記孔に対応した孔を有する幅狭部を備えた可動板と、上記ケーシング本体に固定され、上記可動板の摺動時に上記可動板の閉塞部が上記孔を閉塞した状態で上記閉塞部の端面と当接し、上記閉塞部の摺動を停止させると共に、上記可動板の幅狭部を上記閉塞部から切断、分離させる突出部とから構成されることを特徴とする請求項４記載の推進シールド工法における薬剤注入装置。
【請求項６】
上記可動板の幅狭部と閉塞部との結合部に両者の切断、分離を容易にする切り込み部が設けられたことを特徴とする請求項５記載の推進シールド工法における薬剤注入装置。
【発明の詳細な説明】
【技術分野】
【０００１】
この発明は推進シールド工法における薬剤注入装置、特にシールド掘進機の後方に結合された複数の埋設管の外周部に潤滑材としての薬剤を注入する装置に関するものである。
【背景技術】
【０００２】
地中に埋設管を敷設する場合、シールド掘進機によって地中を掘削しながら上記シールド掘進機に接続された複数の埋設管を推し進めて敷設する推進シールド工法が採用されることが多い。
【０００３】
この場合、推進時に推進抵抗を低減させるための潤滑材や周囲の土壌を改良するための土壌改良剤等の薬剤を埋設管の外周部に注入しながら推進作業を実施している。特に、長距離を推進する場合には、埋設管の全長にわたって潤滑材を注入し、推進抵抗を低減させる必要がある。
【０００４】
従来の推進作業における薬剤の注入は、埋設管内に薬剤供給管を設けると共に、埋設管の管壁に注入口を設け、この注入口に装着した逆止弁を含む薬剤注入装置を介して埋設管の外周部へ薬剤を注入し、推進作業が終了した場合には、薬剤注入管を埋設管から撤去し、薬剤注入装置は管壁に残すようにしていた。
【０００５】
図４は、従来の薬剤注入装置と薬剤注入管の配設状況を示すものであり、図５は、薬剤注入装置の構成を拡大して示す概略図である。即ち、図４に示すように、図示しないシールド掘進機の後方に埋設管１ａ、１ｂを結合して推進体１を形成し、各埋設管内に薬剤供給管２を設けると共に、推進体１の後方の推進起点に薬剤貯留槽３及びそこに貯留された薬剤を上記薬剤供給管２に供給するポンプ４を設け、所定の埋設管１ａの管壁に設けられた薬剤注入装置５に結合管６を介して供給するようにしていた。
【０００６】
薬剤注入装置５は、図５に拡大断面図を示すように、鋼板製の外壁部７ａとコンクリート製の内壁部７ｂとで形成された管壁７の一部に矩形状の開口部を形成して、その開口部に埋め込む形で装着されており、次のように構成されている。
【０００７】
即ち、管壁７の開口部に埋め込まれたケーシング本体５１内に仕切り壁５２を設けて第１の空間５３と第２の空間５４とを形成している。
また、ケーシング本体５１の縁部は外壁部７ａに溶接固定され、ケーシング本体の外面側には第１、第２の空間５３，５４を覆うカバー５５が設けられている。
【０００８】
仕切り壁５２には第１の空間５３側からリフト式の汎用チャッキ弁を有する第１の逆止弁８が装着され、その入力端は第１の空間５３内でケーシング本体５１の底部を貫通して導入された結合管６と結合され、結合管６を経て供給される薬剤が第２の空間５４に吐出される構成となっている。また、第２の空間５４にはカバー５５を貫通する形で第２の空間５４の薬剤を埋設管１ａの外周部に吐出するバタフライ型の弁体を有する第２の逆止弁９が装着されている。なお、第２の逆止弁９の構成は周知であるため詳細説明を省略する。
【０００９】
一方、ケーシング本体５１の底部には、推進作業の終了時に薬剤供給管２と、これに接続された結合管６とを撤去するため結合管６を切断する装置が設けられている。即ち、ケーシング本体５１の底面と、カバー部材５６との間に適宜の切断刃１０を埋設管１ａの軸方向に移動可能に配設し、切断刃１０の先端と図示しない送泥管あるいは排泥管とをワイヤ等の適宜の接続具１０ａで接続し、推進作業の終了時に薬剤供給管２の撤去と共に上記送泥管及び排泥管を撤去する際、接続具１０ａを介して上記切断刃１０を図において右方に移動させて結合管６を切断し、同時に切断刃１０を装着している板部材で結合管６の切断口を閉塞するようにしている。
【００１０】
従って管壁に埋め込まれた薬剤注入装置５は薬剤供給管２の撤去後も管壁に埋め込まれた状態で残されることになる。（例えば特許文献１参照）。
【００１１】
【特許文献１】特開２００４−２８５６１６号公報
【発明の開示】
【発明が解決しようとする課題】
【００１２】
従来の薬剤注入装置は上記のように構成され、第１の逆止弁８がリフト式の汎用チャッキ弁を採用しているが、この弁は周知のように実質的な開口面積が小さいため薬剤に埃等が含まれている場合には、詰まり易いという問題点があった。
【００１３】
また、薬剤供給管２の撤去時に薬剤注入装置５に接続された結合管６を切断刃１０によって切断する構成としているが、構造が複雑で製作及び設置に手間がかかるという問題点もあった。
【００１４】
この発明は上記のような問題点を解消するためになされたもので、薬剤が詰まりにくい構造の逆止弁を採用すると共に、薬剤供給管の撤去時に作業しやすく、その後の閉塞も容易、確実に行うことができる薬剤注入装置を提供することを目的とする。
【課題を解決するための手段】
【００１５】
この発明に係るシールド工法における薬剤注入装置は、シールド掘進機の後方に埋設管を結合した推進体を、上記推進体の埋設管の外周部に薬剤を注入しながら掘削、推進させ上記埋設管によって形成される管路を敷設する推進シールド工法において、上記埋設管内に設けられ、上記薬剤を供給する薬剤供給管にカプラを介して接続されたボール弁式逆止弁を上記カプラと離隔した位置でボールの自重が逆止弁の閉塞方向に作用するように上記埋設管の側壁に埋設状態で装着すると共に、上記ボール弁式逆止弁から送出される薬剤を上記埋設管の外周部に吐出する第２の逆止弁を上記埋設管の管壁部に設けたものである。
【００１６】
この発明に係るシールド工法における薬剤注入装置は、また、上記ボール弁式逆止弁と第２の逆止弁が１つのケースに収容されているものである。更に、上記第２の逆止弁がバタフライ型の弁体を有するものである。
【００１７】
この発明に係るシールド工法における薬剤注入装置は、また、上記カブラがプラグと、このプラグに着脱可能に結合されるソケットとから構成されると共に、推進作業の終了後に上記薬剤供給管及び送泥管、排泥管を撤去して上記ソケットを上記プラグから引き外した時、上記プラグの入力側を閉塞する撤去閉塞手段を設けたものである。
【００１８】
この発明に係るシールド工法における薬剤注入装置は、また、上記撤去閉塞手段が、上記カプラを装着するケーシング本体と、上記カプラのソケットに結合された薬剤供給管を外部に導出する孔を有し、上記ケーシング本体をカバーする蓋体と、上記蓋体上を摺動し得るように設けられた閉塞部及びこの閉塞部より幅狭に形成され、かつ上記閉塞部の端面に容易に切断し得るように結合され上記孔に対応した孔を有する幅狭部を備えた可動板と、上記ケーシング本体に固定され、上記可動板の摺動時に上記可動板の閉塞部が上記孔を閉塞した状態で上記閉塞部の端面と当接し、上記閉塞部の摺動を停止させると共に、上記可動板の幅狭部を上記閉塞部から切断、分離させる突出部とから構成されるものである。
【００１９】
この発明に係るシールド工法における薬剤注入装置は、また、上記可動板の幅狭部と閉塞部との結合部に両者の切断、分離を容易にする切り込み部が設けられたものである。
【発明の効果】
【００２０】
この発明に係るシールド工法における薬剤注入装置は上記のように構成され、薬剤注入装置の入力側の逆止弁をボール弁式の逆止弁とし、しかもそのボールの自重が逆止弁の閉塞方向に作用するように埋設管の側壁に装着しているため、弁動作の信頼性が高い上、弁の開口面積が大きく、薬剤に埃が含まれていても詰まりにくいという特徴を有する。
また、上記のボール弁式逆止弁はカプラと離隔して設けられているためカプラとは関係なく管壁への取り付け姿勢を選択できるため、ボールの自重が逆止弁の閉塞方向に作用するように最適の状態で管壁に装着することができる。
【００２１】
また、薬剤供給管にはプラグと、ソケットから構成され、両者を着脱可能に結合したカプラを接続し、このカプラを介して薬剤注入装置に薬剤を供給するようにしているため、薬剤供給管の撤去作業が簡単で、しかも撤去後にはプラグの入力側が確実に閉塞されるため、推進作業終了後に埋設管外の薬剤や地下水等が埋設管内に逆流することを確実に防止することができる。
【発明を実施するための最良の形態】
【００２２】
実施の形態１．
以下、この発明の実施の形態１を図にもとづいて説明する。図１は、実施の形態１の構成を示すもので、薬剤注入装置の埋設部分で埋設管を径方向に切断した状態を示す断面図、図２は、実施の形態１における撤去閉塞手段の構成を拡大して示す概略図で、（ａ）は平面図、（ｂ）は側面図である。
【００２３】
図１に示すように、埋設管１は鋼板製の外壁部７ａとコンクリート製の内壁部７ｂとから構成されている。その内側下部にはシールド掘進機に泥水を供給し、掘進に伴って生ずる泥等を供給した泥水と共に排出する送泥管１１及び排泥管１２と共に、薬剤供給管２が設けられている。薬剤供給管２は撤去閉塞手段１３のカプラ１４に接続され、カプラ１４から結合管１５を経て薬剤注入装置５に薬剤を供給するようにされている。撤去閉塞手段１３については後述する。
【００２４】
薬剤供給装置５はボール弁式逆止弁１６と、この逆止弁１６から排出された薬剤を埋設管の外周部に吐出する図５と同様なバタフライ型の弁体を有する第２の逆止弁９を収容するケース１７とからなり、ボール弁式逆止弁１６のボール（図示せず）の自重が逆止弁の閉塞方向に作用するように、逆止弁１６を上下方向に向ける形でケース１７を埋設管１の側方の壁面に装着している。
【００２５】
ボール弁式逆止弁１６自体の構成は周知であるため詳細説明を省略する。ケース１７内には逆止弁１６と第２の逆止弁９との間に薬剤の通路１８を形成すると共に、逆止弁１６を固定するためにエポキシ樹脂１９が充填されている。また、逆止弁１６の入力端は結合管１５に接続されている。
【００２６】
撤去閉塞手段１３は図２（ａ）（ｂ）に示すように構成され、薬剤注入装置５とは離隔した位置に設けられている。即ち、埋設管１内の下部に、その長手方向が送泥管１１及び排泥管１２に沿って管壁に埋め込まれたケーシング本体６１と、薬剤供給管２をケーシング本体内に導入する孔６２を有する蓋体６３と、蓋体６３上を長手方向、図２では左方に摺動し得るように設けられ、ケーシング本体６１と同じ幅に形成された閉塞部６４及びこの閉塞部より幅狭に形成され、かつ上記閉塞部６４の端面６５に結合され、上記孔６２に対応する孔６６を有する幅狭部６７からなる可動板６８と、上記ケーシング本体６１にねじ６９によって固定され上記可動板６８が図２において左方に摺動し、その閉塞部６４が蓋体６３の孔６２を閉塞する位置まで摺動した時、閉塞部６４の端面６５と当接して閉塞部６４のそれ以上の摺動を阻止する突出部７０を有するストッパ７１とを備えている。
【００２７】
なお、ストッパ７１の突出部７０の下面には可動板６８の厚さより僅かに厚い厚さを有すると共にストッパ７１側にテーパ面７７を形成した阻止部７８が設けられている。従って、閉塞部６４の端面６５と突出部７０との当接は、実際にはストッパ７１とテーパ面７７との間に端面６５が挟まれる形となって閉塞部６４の摺動が突出部７０の直前で阻止されるため、突出部７０と端面６５とが当接することはない。
【００２８】
また、可動板６８の幅狭部６７と閉塞部６４の端面６５との結合部には両外側から切り込み部７２が設けられ、可動板６８が図２において左方に摺動し、閉塞部６４の端面６５がテーパ面７７とストッパ７１との間に挟まれる形で突出部７０の直前で摺動が阻止された時、幅狭部６７が閉塞部６４から切断され易いようにされている。
【００２９】
なお、可動板６８の図２において左端に設けられている孔７３には図示しないワイヤ等の適宜の接続具の一端が結合され、この接続具の他端が図１に示す薬剤供給管２または送排泥管１１、１２に固定されている。また、ケーシング本体６１の図２において右端の端壁７４には、プラグ１４ａとソケット１４ｂからなり、ソケットをプラグに着脱可能に結合することができるカプラ１４のプラグ１４ａが端壁７４を貫通して固定され、このプラグ１４ａには図１に示す結合管１５の下端が結合されている。更に、ソケット１４ｂには薬剤供給管２が結合されている。
【００３０】
上記カプラ１４は市販されていて周知であるため、具体的な構造については説明を省略するが、ソケット１４ｂの外周に設けられている操作部７５を図２において左方に移動させることにより、プラグ１４ａとソケット１４ｂとの連結が外れ、ソケット１４ｂの操作部７５をプラグ１４ａに挿入することにより、プラグ１４ａとソケット１４ｂとが連結されるようになっている。また、操作部７５にはワイヤ等の適宜の接続具７６の一端が固定され、接続具７６の他端は孔６２及び６６を経て外部に引き出され、送泥管１１あるいは排泥管１２に固定されている。
【００３１】
次に、この実施の形態の作用について説明する。図２は、カプラ１４のプラグ１４ａとソケット１４ｂとが連結された状態を示しており、薬剤供給管２からカプラ１４及び図１に示す結合管１５を介してボール弁式逆止弁１６に薬剤が供給され、逆止弁１６から吐出された薬剤が通路１８を経てバタフライ型の弁体を有する第２の逆止弁９から埋設管１の外周部に供給され、シールド掘進機及び複数の埋設管からなる推進体１が掘削推進されることになる。
【００３２】
推進作業が終了すると、薬剤供給管２及び送泥管１１、排泥管１２が撤去される。
この場合、送泥管１１及び排泥管１２が先に引き抜かれ、これらの管に固定されているワイヤ等の適宜の接続具７６を介してカプラ１４のソケット１４ｂの操作部７５が図２において左方に引っ張られるため、カプラ１４のプラグ１４ａとソケット１４ｂとの連結が外れる。
【００３３】
その後、薬剤供給管２が引き抜かれるため、その先端に結合されているソケット１４ｂがケーシング本体６１の蓋体６３の孔６２及び可動板６８の幅狭部６７の孔６６を通ってケーシング本体６１の外方に引き出され撤去される。
【００３４】
なお、可動板６８の孔７３と薬剤供給管２または送排泥管１１、１２とを接続しているワイヤ等の適宜の接続具は、カプラ１４のソケット１４ｂが蓋体６３の孔６２及び可動板６８の幅狭部６７の孔６６を通過して本体６１外に引き出された時に、可動板６８が図２において左方に引かれ始めるような長さにあらかじめ設定されている。また、カプラの操作部７５に固定されているワイヤ等の適宜の接続具７６の他端を孔７３を通して送泥管１１あるいは排泥管１２に固定するようにしてもよい。このように構成すれば、カプラ１４が本体６１から引き出された後に可動板６８が図２において左方に引かれる結果、可動板６８の幅狭部６７及び閉塞部６４が図２において左方に摺動し、閉塞部の端面６５がストッパ７１とテーパ面７７との間に挟まれる形で突出部７０の直前で停止する。可動板６８が更に図２において左方に引かれると、幅狭部６７は切り込み部７２の位置で切断され、幅狭部６７は薬剤供給管２または送排泥管１１、１２と共に撤去される。
【００３５】
この時、閉塞部６４は、その端面６５がストッパ７１とテーパ面７７との間に圧入された状態となっているため、閉塞部６４は図２において右方に戻ることなく、突出部７０の直前で停止した状態のままケーシング本体６１内に残り、蓋体６３の孔６２を閉塞する。従って、撤去後に埋設管１の外部から逆止弁９及び１６を経てカプラ１４側に薬剤や地下水等が逆流することがあっても、埋設管１内への流入を確実に防止することができる。
【００３６】
実施の形態２．
次に、この発明の実施の形態２を図にもとづいて説明する。この実施の形態の基本的構成は実施の形態１と同様であるが、撤去閉塞手段に装着されているカプラの構成及びその取付構造が相違する。
【００３７】
図３は実施の形態２における撤去閉塞手段１３の構成を示す側面図である。図１、図２と同一または相当部分には同一符号を付して説明を省略する。
以下、実施の形態１との相違点についてのみ説明する。
【００３８】
図３に示すように、実施の形態２のカプラ１４は実施の形態１と同様に、プラグ１４ａとソケット１４ｂとソケットの外周に移動可能に設けられている操作部７５とから構成されており、操作部７５をソケット１４b側に移動させた状態でプラグ１４aをソケット１４bに挿入することによりプラグ１４ａとソケット１４ｂとが連結され、この状態で操作部７５がプラグ１４a側に戻ることによりプラグ１４ａとソケット１４ｂとの連結状態がロックされるようになっている。
【００３９】
また、プラグ１４ａとソケット１４ｂとの連結状態において操作部７５をソケット１４b側、即ち図３において相対的に右方に移動させるとロックが解除されてソケット１４ｂとプラグ１４ａとの連結が解除されるように構成されている。ロックの解除時における操作部７５の移動方向が実施の形態１とは逆になっている。
【００４０】
このように構成されたカプラ１４を以下に述べる構成で撤去閉塞手段１３に装着している。即ち、可動板６８の幅狭部６７の端部側から端板７４側に向けて傾斜面を形成するようにガイド板８０を装着し、このガイド板８０と蓋体６３との間に固定板８１を固定する。この固定板８１の中央部にはカプラ１４の操作部７５の径より小さい径の孔８２が設けられている。
【００４１】
一方、カプラ１４の操作部７５にはフランジ状の突出部８３を形成し、カプラ１４のプラグ１４aが上記固定板８１の孔８２を図３において右方から左方に貫通する形でカプラ１４の操作部７５を固定板８１の図３において右方の面に当接し、固定板８１と突出部８３とを適宜のねじ８４で固定する。
【００４２】
プラグ１４aには薬剤供給管２を結合し、ソケット１４bにはビニールパイプ等のフレキシブルパイプ８５を結合し、フレキシブルパイプ８５の外端を図１に示す結合管１５に接続する。なお、図３に示すカプラ１４は市販されていて構成そのものは周知である。
【００４３】
次に、実施の形態２の作用について説明する。
図３はカプラ１４のプラグ１４ａとソケット１４ｂとが連結された状態を示しており、実施の形態１と同様に、薬剤供給管２からカプラ１４、フレキシブルパイプ８５及び図１に示す結合管１５を介してボール弁式逆止弁１６に薬剤が供給され、逆止弁１６から吐出された薬剤が通路１８を経てバタフライ型の弁体を有する第２の逆止弁９から埋設管１の外周部に供給され、シールド掘進機及び複数の埋設管からなる推進体１が掘削推進されることになる。
【００４４】
掘削作業が終了すると、薬剤供給管２及び送泥管１１、排泥管１２が撤去される。この場合、薬剤供給管２の先端に結合されているプラグ１４aが薬剤供給管２の撤去に伴って図３において左方に引かれるため、プラグ１４aに連結されているソケット１４bも図３において左方に引かれる。この結果、固定板８１に固定されている操作部７５が相対的にソケット１４b側、即ち図３において右方に移動することになるため、ソケット１４ｂとプラグ１４ａとの連結が外れ、プラグ１４aが薬剤供給管２と共に引き出される形で薬剤供給管２が撤去される。この実施の形態においては薬剤供給管２によってプラグ１４aを引き出し、カプラ１４の連結状態を解除するため、実施の形態１において図２（ｂ）に示したように、操作部７５と薬剤供給管２等とを接続する接続具７６が不要となる。
【００４５】
また、可動板６８は実施の形態１と同様に、図３において左方に引かれるため、蓋体６３の孔６２を閉塞することは実施の形態１と同様である。なお、ガイド板８０はプラグ１４aを装着した薬剤供給管２が引き出される際、プラグ１４a及び薬剤供給管２が周囲の部材に接触したり、係止されたりするのを防ぎ、引き出しをスムースにするためのガイドとして機能するものである。
【００４６】
また、ソケット１４bに結合されたフレキシブルパイプ８５は、薬剤供給管２の引き出し時にソケット１４bが図３において左方に移動するため、この移動をスムースに行なうために設けられているものである。
【図面の簡単な説明】
【００４７】
【図１】この発明の実施の形態１の構成を示すもので、薬剤注入装置の埋設部分で埋設管を径方向に切断した状態を示す断面図である。
【図２】実施の形態１における撤去閉塞手段の構成を拡大して示す概略図で、（ａ）は平面図、（ｂ）は側面図である。
【図３】この発明の実施の形態２における撤去閉塞手段の構成を拡大して示す側面図である。
【図４】従来の推進シールド工法における薬剤供給管と薬剤注入装置の構成を示す概略図である。
【図５】図３における薬剤注入装置の構成を示す拡大断面図である。
【符号の説明】
【００４８】
１  推進体、  １ａ、１ｂ  埋設管、  ２  薬剤供給管、  ３  薬剤貯留槽、
４  ポンプ、  ５  薬剤注入装置、  ６  結合管、  ７  管壁、  ７ａ  外壁部、
７ｂ  内壁部、  ８  第１の逆止弁、  ９  第２の逆止弁、  １０  切断刃、
１０ａ  接続体、  １１  送泥管、  １２  排泥管、  １３  撤去閉塞手段、
１４  カプラ、  １４ａ  プラグ、  １４ｂ  ソケット、  １５  結合管、
１６  ボール弁式逆止弁、  １７  ケース、  １８  通路、  １９  エポキシ樹脂、  ５１  ケーシング本体、  ５２  仕切り壁、  ５３  第１の空間、  ５４  第２の空間、
５５  カバー、  ５６  カバー部材、  ６１  ケーシング本体、  ６２  孔、
６３  蓋体、  ６４  閉塞部、  ６５  端面、  ６６  孔、  ６７  幅狭部、
６８  可動板、  ６９  ねじ、  ７０  突出部、  ７１  ストッパ、
７２  切り込み部、  ７３  孔、  ７４  端壁、  ７５  操作部、  ７６  接続具、  ７７  テーパ面、  ７８  阻止部、  ８０  ガイド板、  ８１  固定板、  ８２  孔、
８３  突出部、  ８４  ねじ、  ８５  フレキシブルパイプ。
【図１】
2008095491.tif 000003
【図２】
2008095491.tif 000004
【図３】
2008095491.tif 000005
【図４】
2008095491.tif 000006
【図５】
2008095491.tif 000007